(57)【要約】【課題】簡素な構成でありながらケーブルを移動不能に把持することができ、ケーブルの抜けを確実に防止することができ、ケーブルに結び目を作成する必要がなく、製造を容易にすることができるとともに、より小型で音質を高くすることができるようにする。【解決手段】少なくとも一部が外耳道に挿入可能な外耳道挿入部材と、該外耳道挿入部材が取付けられる筐体と、該筐体内に配設された音を発生するドライバユニットと、該ドライバユニットに一端が接続されるケーブルが内部に挿通され、前記筐体に直接取付けられる第１保持部材と、前記ケーブルが内部に挿通され、前記第１保持部材に取付けられる第２保持部材とを有し、該第２保持部材を前記第１保持部材に取付けると、該第１保持部材が前記ケーブルを移動不能に把持する。【選択図】図１
2011228833.tif 000002
【特許請求の範囲】
【請求項１】
（ａ）少なくとも一部が外耳道に挿入可能な外耳道挿入部材と、
（ｂ）該外耳道挿入部材が取付けられる筐体と、
（ｃ）該筐体内に配設された音を発生するドライバユニットと、
（ｄ）該ドライバユニットに一端が接続されるケーブルが内部に挿通され、前記筐体に直接取付けられる第１保持部材と、
（ｅ）前記ケーブルが内部に挿通され、前記第１保持部材に取付けられる第２保持部材とを有し、
（ｆ）該第２保持部材を前記第１保持部材に取付けると、該第１保持部材が前記ケーブルを把持することを特徴とするイヤホン。
【請求項２】
前記筐体は、前記ドライバユニットを収容する主筐体と、該主筐体の後面を塞ぐ蓋筐体とを備え、
前記第１保持部材は、前記主筐体と蓋筐体との境界線を跨ぐように形成された取付孔に取付けられる請求項１に記載のイヤホン。
【請求項３】
前記第１保持部材は、外周面に雄ねじが形成された胴部と、該胴部の一端に接続された脚部とを備え、
前記第２保持部材は、内周面に雌ねじとテーパ部とが形成された貫通孔を備え、前記雌ねじを前記雄ねじに螺合させることによって前記第１保持部材に取付けられ、前記テーパ部が前記脚部を絞込む請求項１又は２に記載のイヤホン。
【発明の詳細な説明】
【技術分野】
【０００１】
本発明は、少なくとも一部が外耳道に挿入される外耳道挿入部材を有するイヤホンに関するものである。
【背景技術】
【０００２】
従来、耳介に装着されて使用されるイヤホンとして、外耳道に挿入される突起部を備えていない、いわゆるイヤホン型ヘッドホンと呼ばれるタイプのものや、弾性を備える軟質のゴム等から成るイヤーパッドを外耳道に挿入する、いわゆる挿入型イヤホンと呼ばれるタイプのものが知られている（例えば、特許文献１参照。）。このようなイヤホンは、例えば、ダイナミック型のドライバユニットを有し、該ドライバユニットが備える振動板を振動させて音を発生する。
【０００３】
図６は従来のイヤホンの構造を示す断面図である。
【０００４】
図において、８１１はイヤホンのハウジングであり、該ハウジング８１１の内部には振動板等を備えるドライバユニット８４１が装着されている。また、前記ハウジング８１１の先端（図における右端）には、右方へ向けて延出する音導管８１７の基端が一体的に接続されている。なお、前記音導管８１７内には、ハウジング８１１内の空間に連通する音導孔（こう）が形成されている。前記音導管８１７の周囲には、軟質のゴム等から成るイヤーパッド８５０が嵌（かん）着されている。そして、イヤホンを装着すると、イヤーパッド８５０の先端部が外耳道に挿入される。これにより、ドライバユニット８４１の振動板の振動によって発生した音が、音導管８１７及びイヤーパッド８５０内の孔（あな）を通って外耳道の内部に入射し、鼓膜に到達する。
【０００５】
また、前記ハウジング８１１の後端（図における左端）には、蓋（ふた）筐（きょう）体８１４が取付けられ、該蓋筐体８１４とハウジング８１１との境界部分の下面からは、ダクト状のケーブル保持部８１５が延出している。該ケーブル保持部８１５内には一端がドライバユニット８４１に接続され、他端が音楽プレーヤ、テレビ、ラジオ、ビデオデッキ等の図示されない音響機器に接続される電線ケーブル８９１が収容されている。
【０００６】
なお、該電線ケーブル８９１が外部から引張られると、ドライバユニット８４１との接続部分が破断し、電線ケーブル８９１がハウジング８１１及びケーブル保持部８１５から抜けてしまう可能性がある。そこで、電線ケーブル８９１の一端付近に結び目８９１ａが形成され、蓋筐体８１４内の空間に収容されている。結び目８９１ａは、ケーブル保持部８１５の内径よりも十分に大きいので、電線ケーブル８９１が外部から引張られた場合、ケーブル保持部８１５の上端に引掛かり、ストッパとして機能する。これにより、電線ケーブル８９１の抜けを防止することができる。
【先行技術文献】
【特許文献】
【０００７】
【特許文献１】特開２００８−１９３４４９号公報
【発明の概要】
【発明が解決しようとする課題】
【０００８】
しかしながら、前記従来のイヤホンにおいては、蓋筐体８１４内に結び目８９１ａを収容するために蓋筐体８１４のみならずハウジング８１１も大きくする必要がある。そのため、イヤホンの小型化が困難になってしまう。
【０００９】
また、蓋筐体８１４及びハウジング８１１内の空間は、音響空間としてイヤホンの音響性能に大きな影響を与える部分であるにも係わらず、結び目８９１ａによって専有されてしまう。そのため、イヤホンの音響性能が低下してしまう。
【００１０】
さらに、結び目８９１ａの作成は、機械による自動化が困難であるために手作業によって行われる。そのため、結び目８９１ａの大きさにばらつきが生じ、該ばらつきを吸収するために、蓋筐体８１４及びハウジング８１１を必要以上に大型化しなければならず、また、音響空間である蓋筐体８１４及びハウジング８１１内の空間の容積にばらつきが生じ、その結果、イヤホンの音響性能にばらつきが生じてしまう。
【００１１】
本発明は、前記従来のイヤホンの問題点を解決して、筐体に取付けられる第１保持部材と該第１保持部材に取付けられる第２保持部材とによってケーブルを把持することにより、簡素な構成でありながらケーブルの抜けをより強固に防止することができ、ケーブルに結び目を作成する必要がなく、製造を容易にすることができるとともに、より小型で音質が高いイヤホンを提供することを目的とする。
【課題を解決するための手段】
【００１２】
そのために、本発明のイヤホンにおいては、少なくとも一部が外耳道に挿入可能な外耳道挿入部材と、該外耳道挿入部材が取付けられる筐体と、該筐体内に配設された音を発生するドライバユニットと、該ドライバユニットに一端が接続されるケーブルが内部に挿通され、前記筐体に直接取付けられる第１保持部材と、前記ケーブルが内部に挿通され、前記第１保持部材に取付けられる第２保持部材とを有し、該第２保持部材を前記第１保持部材に取付けると、該第１保持部材が前記ケーブルを把持する。
【００１３】
本発明の他のイヤホンにおいては、さらに、前記筐体は、前記ドライバユニットを収容する主筐体と、該主筐体の後面を塞（ふさ）ぐ蓋筐体とを備え、前記第１保持部材は、前記主筐体と蓋筐体との境界線を跨（また）ぐように形成された取付孔に取付けられる。
【００１４】
本発明の更に他のイヤホンにおいては、さらに、前記第１保持部材は、外周面に雄ねじが形成された胴部と、該胴部の一端に接続された脚部とを備え、前記第２保持部材は、内周面に雌ねじとテーパ部とが形成された貫通孔を備え、前記雌ねじを前記雄ねじに螺（ら）合させることによって前記第１保持部材に取付けられ、前記テーパ部が前記脚部を絞込む。
【発明の効果】
【００１５】
本発明によれば、イヤホンは、筐体に取付けられる第１保持部材と該第１保持部材に取付けられる第２保持部材とによってケーブルを把持するようになっている。これにより、簡素な構成でありながらケーブルの抜けをより強固に防止することができ、ケーブルに結び目を作成する必要がなく、製造を容易にすることができるとともに、より小型で音質が高いイヤホンを提供することができる。
【図面の簡単な説明】
【００１６】
【図１】本発明の実施の形態におけるイヤホンの斜視図であって、（ａ）は斜め上から観た図、（ｂ）は斜め下から観た図である。
【図２】本発明の実施の形態におけるイヤホンの二面図であって、（ａ）は正面図、（ｂ）は側面図である。
【図３】本発明の実施の形態におけるイヤホンの断面図であって、（ａ）は図２におけるＢ−Ｂ矢視断面図、（ｂ）は図２におけるＡ−Ａ矢視断面図である。
【図４】本発明の実施の形態におけるイヤホンの取付角孔を示す断面図であって、（ａ）は図２におけるＣ−Ｃ矢視断面図、（ｂ）は図２におけるＤ−Ｄ矢視断面図である。
【図５】本発明の実施の形態におけるコレット部の構造を示す図であって、（ａ−１）及び（ａ−２）は第１及び第２の側面図、（ｂ−１）及び（ｂ−２）は第１及び第２の斜め上から観た図、（ｃ−１）及び（ｃ−２）は第１及び第２の斜め下から観た図である。
【図６】従来のイヤホンの構造を示す断面図である。
【発明を実施するための形態】
【００１７】
以下、本発明の実施の形態について図面を参照しながら詳細に説明する。
【００１８】
図１は本発明の実施の形態におけるイヤホンの斜視図、図２は本発明の実施の形態におけるイヤホンの二面図、図３は本発明の実施の形態におけるイヤホンの断面図である。なお、図１において、（ａ）は斜め上から観た図、（ｂ）は斜め下から観た図であり、図２において、（ａ）は正面図、（ｂ）は側面図であり、図３において、（ａ）は図２におけるＢ−Ｂ矢視断面図、（ｂ）は図２におけるＡ−Ａ矢視断面図である。
【００１９】
図において、１０は本実施の形態におけるイヤホンであり、使用者の耳介に装着されて使用され、電気信号である音声信号によって駆動され、該音声信号を再生する小型の音声発生器である。そして、前記イヤホン１０は、音声信号を再生して音を発生するスピーカユニットとしてのドライバユニット４１を内蔵するハウジングとしての筐体１１と、該筐体１１に取付けられ、少なくともその先端部が使用者の外耳道に挿入可能な外耳道挿入部材としてのイヤーパッド５０とを有する。
【００２０】
前記筐体１１は、その正面側に位置する主筐体１２と、該主筐体１２の後側に結合される蓋筐体１４とを備える。そして、ドライバユニット４１は、図３に示されるように、主筐体１２の内側に形成された内部空間２１内に保持される。また、主筐体１２の後面は、蓋筐体１４によって塞がれ、これにより、内部空間２１におけるドライバユニット４１の後方（図３（ｂ）における右方）に、後方空間２４が形成される。また、前記ドライバユニット４１は、図示されない振動板を振動させて音を発生する。
【００２１】
なお、前記筐体１１は、例えば、合成樹脂等の樹脂から成るが、アルミニウム、鋼、銅等の金属から成るものであってもよいし、樹脂、カーボン、金属等を複合した複合材から成るものであってもよい。
【００２２】
また、本実施の形態において、イヤホン１０の各部の構成及び動作を説明するために使用される上、下、左、右、前、後等の方向を示す表現は、絶対的なものでなく相対的なものであり、イヤホン１０又はその部品が図に示される姿勢である場合に適切であるが、イヤホン１０又はその部品の姿勢が変化した場合には、姿勢の変化に応じて変更して解釈されるべきものである。
【００２３】
さらに、前記筐体１１には、前記ドライバユニット４１に一端が接続されるケーブルとしての電線ケーブル９１の一部を取囲んで保持する筒状の第２保持部材としてのケーブル保持部１５の上端が取付けられている。前記電線ケーブル９１の上端から露出するリード線９２の先端がはんだ付等の接続手段によって、前記ドライバユニット４１に導電可能に接続されている。そして、ケーブル保持部１５の下端からは、電線ケーブル９１が延出する。なお、図においては、図示の都合上、電線ケーブル９１は、ケーブル保持部１５に近接する部分のみが描画され、他の部分は描画が省略されている。そして、電線ケーブル９１の図示されない他端においては、音楽プレーヤ、テレビ、ラジオ、ビデオデッキ等の図示されない音響機器が前記リード線９２の他端に導電可能に接続される。
【００２４】
前記主筐体１２は、前方（図３（ｂ）における左方）に向けて突出する筒状のパッド取付部１７を含んでいる。そして、該パッド取付部１７には、後端が主筐体１２の内部空間２１に連通し、前端が開放された円筒状開口である音導孔としての筐体音導孔２２が形成されている。これにより、ドライバユニット４１が発生した音が、内部空間２１及び筐体音導孔２２を通して使用者の外耳道に入射する。
【００２５】
そして、前記パッド取付部１７には、イヤーパッド５０が取付けられている。該イヤーパッド５０は、例えば、シリコーンゴム等の軟質の弾性変形可能な材料から成り、一体成形された部材であり、パッド取付部１７の周囲に嵌着された筒状の本体部５１と、該本体部５１の先端から後端に向けて斜めに広がる弾性変形部としての笠（かさ）部５３とを備える。なお、本体部５１の後端には、内方に向けて突出する肉厚のフランジ状の係合凸部５２が形成されている。該係合凸部５２は、パッド取付部１７の基端部（主筐体１２との接続部）に形成された溝状の係合凹部１７ａと係合し、パッド取付部１７からイヤーパッド５０が外れることを防止する。
【００２６】
該イヤーパッド５０は、全体としてキノコ又は傘のような形状を有し、その先端部において、本体部５１の先端に笠部５３の先端が接続され、本体部５１の外周面と笠部５３の内周面との間には空洞が形成されている。そして、本体部５１の中心には、前後端が開放された円筒状開口である音導孔としてのパッド音導孔６１が形成されている。パッド取付部１７にイヤーパッド５０が取付けられた状態で、パッド音導孔６１は筐体音導孔２２と連通する。
【００２７】
また、笠部５３は、本体部５１よりも肉薄であって柔軟性を備え、力を受けることによって容易に弾性変形するようになっている。したがって、イヤーパッド５０が外耳道に挿入された際、笠部５３は、外耳道の内面形状に適合するように弾性変形し、外耳道に損傷を与えることがなく、外耳道の内面に反力を加えることなく密着するので、装着感、フィット感が良好となる。
【００２８】
なお、イヤーパッド５０の形状及び材質はいかなる種類のものであってもよく、例えば、金属製であってもよい。
【００２９】
本実施の形態において、前記ケーブル保持部１５は、図３に示されるように、筐体１１に取付けられた第１保持部材としての円筒状のコレット（ｃｏｌｌｅｔ）部３１を介して、筐体１１に取付けられている。前記コレット部３１は、例えば、アルミニウム、鋼、銅等の金属から成る一体的に形成された部材であるが、合成樹脂等の樹脂から成るものであってもよいし、樹脂、カーボン、金属等を複合した複合材から成るものであってもよい。
【００３０】
なお、前記ケーブル保持部１５は、その内部を上端から下端まで連通して上下方向に貫通する貫通孔としての締付孔１５ａが形成されている。該締付孔１５ａの上端部における内周面には、螺旋状の雌ねじとしての雌ねじ部１５ｂが形成され、該雌ねじ部１５ｂの下方には、下へ行くほど内径が小さくなるように傾斜するテーパが付与されたテーパ部１５ｃが形成されている。
【００３１】
そして、前記コレット部３１は、概略円板状のフランジ部３２と、該フランジ部３２の下面から下方に延出する概略円筒状の胴部３３と、該胴部３３の一端、すなわち、下端から下方に延出する脚部３４とを備えるとともに、前記フランジ部３２、胴部３３及び脚部３４の内部を連通して上下方向に貫通する貫通孔としてのケーブル挿通孔３５が中心に形成されている。
【００３２】
また、前記胴部３３の外周面には、螺旋状の雄ねじとしての雄ねじ部３３ａが形成されている。該雄ねじ部３３ａには、ケーブル保持部１５の雌ねじ部１５ｂが螺合する。また、前記胴部３３の外周面におけるフランジ部３２との境界部、すなわち、上端部には、回止め部としての平坦（たん）面３３ｂが複数（例えば、４つ）形成されている。該平坦面３３ｂは、筐体１１の下側壁を貫通するように形成された取付孔としての取付角孔１８の平坦な内側面１８ｂと係合し、これにより、コレット部３１が筐体１１の下側壁に対して回転することを防止する。
【００３３】
前記ケーブル挿通孔３５は、その内径が電線ケーブル９１の外径よりも大きくなるように形成されている。したがって、前記ケーブル挿通孔３５内に容易に電線ケーブル９１を挿入することが可能であり、かつ、前記ケーブル挿通孔３５内に挿通された電線ケーブル９１は、コレット部３１に対して軸方向に移動可能である。しかし、ケーブル保持部１５の雌ねじ部１５ｂをコレット部３１の雄ねじ部３３ａに螺合させて締付けを行うと、ケーブル保持部１５がコレット部３１に対して上昇し、テーパ部１５ｃの下端が脚部３４を外側から絞込む。その結果、脚部３４が弾性的に変形してその内径が縮小し、電線ケーブル９１の外面を締付けて把持する。これにより、ケーブル挿通孔３５内に挿通された電線ケーブル９１は、強固に保持され、筐体１１からの抜けが防止される。
【００３４】
このように、本実施の形態において、電線ケーブル９１は、ケーブル保持部１５及びコレット部３１によって締付把持されるので、筐体１１から抜けることがない。したがって、「背景技術」の項において説明した従来のイヤホンのように、電線ケーブル９１又はリード線９２に抜けを防止するための結び目を形成する必要がない。その結果、図３（ｂ）に示されるように、内部空間２１におけるドライバユニット４１の後方及び後方空間２４の内部は、結び目に専有されることがなく、大きなままで維持されるので、音響空間としての機能を十分に発揮することができる。特に、手作業によって作成されるために大きさにばらつきがある結び目に専有されることがないので、内部空間２１におけるドライバユニット４１の後方及び後方空間２４の内部は、常に一定の大きさ及び形状に維持されるので、音響空間としての機能が一定となり、その結果、イヤホン１０の音質も上質かつ一定のものとなる。
【００３５】
次に、前記コレット部３１の取付状態及び構造について詳細に説明する。
【００３６】
図４は本発明の実施の形態におけるイヤホンの取付角孔を示す断面図、図５は本発明の実施の形態におけるコレット部の構造を示す図である。なお、図４において、（ａ）は図２におけるＣ−Ｃ矢視断面図、（ｂ）は図２におけるＤ−Ｄ矢視断面図であり、図５において、（ａ−１）及び（ａ−２）は第１及び第２の側面図、（ｂ−１）及び（ｂ−２）は第１及び第２の斜め上から観た図、（ｃ−１）及び（ｃ−２）は第１及び第２の斜め下から観た図である。
【００３７】
図４に示されるように、筐体１１の取付角孔１８は、筐体１１の下側壁を貫通するように形成され、かつ、主筐体１２と蓋筐体１４との境界線を跨ぐように形成された多角形の貫通孔である。前記取付角孔１８は、三角形であってもよく、五角形であってもよく、六角形であってもよく、いかなる種類の多角形であってもよいが、ここでは、図４に示されるように正方形である場合について説明する。
【００３８】
なお、筐体１１の下側壁の内面側には、図３（ｂ）及び４（ａ）に示されるように、取付角孔１８よりも大きな正方形の凹部１８ａが、いわゆる座ぐり部として形成されている。前記凹部１８ａの上面は、平坦面であり、図５（ａ−１）に示されるようなコレット部３１のフランジ部３２の下面３２ａと対向する。また、取付角孔１８の４つの内側面１８ｂは、平坦面であり、コレット部３１の平坦面３３ｂと対向する。
【００３９】
前述のように、コレット部３１は、胴部３３の外周面におけるフランジ部３２との境界部に形成された平坦面３３ｂを備える。該平坦面３３ｂは、図５に示されるように、円筒面である胴部３３の外周面から凹入するように、かつ、各々が、正方形の角柱の各側面に対応するように形成されている。そして、フランジ部３２の下面３２ａは、平坦面３３ｂの上端から外方に大きく延出している。
【００４０】
また、コレット部３１の脚部３４には、複数本のスリット３４ａが等間隔で形成され、これにより、円筒形の脚部３４は複数の帯板部３４ｂに分割されている。前記スリット３４ａの数は、２本であってもよく、３本であってもよく、５本であってもよく、何本であってもよいが、ここでは、図５に示されるように、４本である場合について説明する。この場合、脚部３４は、４本の細長い帯板部３４ｂに分割されている。
【００４１】
前記スリット３４ａは、下端が脚部３４の下端で開放され、上端が胴部３３との接続部の近傍で閉止された上下方向に延在する細長い切込みである。したがって、スリット３４ａによって分割されて形成された脚部３４は、上端を基端とし下端を自由端とするカンチレバー状の部材であり、弾性的に変形する。なお、各脚部３４の外面下端には、外方に向けて突出する凸部３４ｃが形成されている。該凸部３４ｃの下端には、テーパ面が形成されていることが望ましい。また、前記凸部３４ｃは適宜省略してもよい。
【００４２】
前記コレット部３１は、主筐体１２と蓋筐体１４とが分離した状態で、取付角孔１８の主筐体１２側の部分、又は、蓋筐体１４側の部分に取付けられる。具体的には、主筐体１２又は蓋筐体１４の一方における取付角孔１８に、胴部３３の平坦面３３ｂが形成された部分を挿入し、前記一方における取付角孔１８の内側面１８ｂと胴部３３の平坦面３３ｂとを対向させる。
【００４３】
続いて、主筐体１２と蓋筐体１４とを接合すると、主筐体１２又は蓋筐体１４の他方における取付角孔１８に、胴部３３の平坦面３３ｂが形成された部分が進入し、前記他方における取付角孔１８の内側面１８ｂと胴部３３の平坦面３３ｂとが対向する。これにより、図４（ｂ）に示されるように、胴部３３の平坦面３３ｂの各々は、取付角孔１８の平坦な内側面１８ｂの各々と対向した状態となる。また、図４（ａ）に示されるように、フランジ部３２は凹部１８ａ内に収容され、フランジ部３２の下面３２ａが凹部１８ａの上面と対向する。なお、前記フランジ部３２は、胴部３３の平坦面３３ｂよりも外方に延出しているので、フランジ部３２の下面３２ａが凹部１８ａの上面と係合した状態となり、これにより、コレット部３１が筐体１１の取付角孔１８から外れることが防止される。
【００４４】
なお、電線ケーブル９１は、コレット部３１を筐体１１に取付ける前にケーブル挿通孔３５内へ挿通されていることが一般的である。これは、一般的には、主筐体１２と蓋筐体１４とを接合する前に、電線ケーブル９１の上端から露出するリード線９２の先端をドライバユニット４１に接続するからである。
【００４５】
そして、ケーブル保持部１５は、下方からコレット部３１の外側に被さるようにして取付けられる。つまり、コレット部３１の脚部３４及び胴部３３は、相対的にケーブル保持部１５の上端からケーブル保持部１５の締付孔１５ａ内に進入する。そして、ケーブル保持部１５の雌ねじ部１５ｂがコレット部３１の胴部３３の雄ねじ部３３ａと螺合させられる。
【００４６】
雌ねじ部１５ｂと雄ねじ部３３ａとが螺合した状態で、ケーブル保持部１５をコレット部３１に対して更に回転させて締付けを行うと、ケーブル保持部１５がコレット部３１に対して上昇し、テーパ部１５ｃの下端が脚部３４を外側から絞込む。すると、脚部３４が弾性的に変形してケーブル挿通孔３５の内径が縮小し、ケーブル挿通孔３５内に挿通された電線ケーブル９１が脚部３４によって把持される。図５に示されるように、脚部３４の外面下端に凸部３４ｃが形成されていると、脚部３４の下端の変形量が増大し、電線ケーブル９１をより強力に把持することができる。なお、脚部３４が電線ケーブル９１を周囲から把持する力は、前記テーパ部１５ｃの形状及び凸部３４ｃの突出量を調整することによって適宜調整することができる。
【００４７】
また、雌ねじ部１５ｂと雄ねじ部３３ａとが螺合した状態で、ケーブル保持部１５をコレット部３１に対して更に回転させて締付けを行うことによって、図３に示されるように、コレット部３１のフランジ部３２とケーブル保持部１５とが、筐体１１の下側壁を上下から挟込む状態となり、これにより、ケーブル保持部１５及びコレット部３１が筐体１１の下側壁に強固に固定される。この場合、フランジ部３２の平坦な下面３２ａが凹部１８ａの平坦な上面を上から押圧する状態となるので、筐体１１の下側壁に対するケーブル保持部１５及びコレット部３１の姿勢が安定する。
【００４８】
なお、前記ケーブル保持部１５の形状及びコレット部３１の凸部３４ｃの突出量は、コレット部３１のフランジ部３２とケーブル保持部１５とが筐体１１の下側壁を確実に挟込む状態となる程度に雌ねじ部１５ｂと雄ねじ部３３ａとを締付けた場合に、電線ケーブル９１を適切な力で把持することができるように調整されることが望ましい。
【００４９】
このように、本実施の形態におけるイヤホン１０は、イヤーパッド５０と、イヤーパッド５０が取付けられる筐体１１と、筐体１１内に配設された音を発生するドライバユニット４１と、ドライバユニット４１に一端が接続される電線ケーブル９１が内部に挿通され、筐体１１に直接取付けられるコレット部３１と、電線ケーブル９１が内部に挿通され、コレット部３１に取付けられるケーブル保持部１５とを有し、ケーブル保持部１５をコレット部３１に取付けると、コレット部３１が電線ケーブル９１を把持する。
【００５０】
これにより、簡素な構成でありながら電線ケーブル９１を把持することができ、電線ケーブル９１の抜けを強固に防止することができる。また、電線ケーブル９１に結び目を作成する必要がないので、製造を容易にすることができる。さらに、筐体１１内に電線ケーブル９１に結び目が存在しないので、筐体１１内の空間が音響空間としての機能を存分に発揮し、かつ、その音響空間としての機能が一定となるので、その結果、イヤホン１０を小型化しても、高い音質を得ることができる。
【００５１】
また、筐体１１は、ドライバユニット４１を収容する主筐体１２と、主筐体１２の後面を塞ぐ蓋筐体１４とを備え、コレット部３１は、主筐体１２と蓋筐体１４との境界線を跨ぐように形成された取付角孔１８に取付けられる。したがって、コレット部３１の取付作業を確実にかつ容易に短時間で行うことができる。
【００５２】
さらに、コレット部３１は、外周面に雄ねじ部３３ａが形成された胴部３３と、胴部３３の一端に接続された脚部３４とを備え、ケーブル保持部１５は、内周面に雌ねじ部１５ｂとテーパ部１５ｃとが形成された締付孔１５ａを備え、雌ねじ部１５ｂを雄ねじ部３３ａに螺合させることによってコレット部３１に取付けられ、テーパ部１５ｃが脚部３４を絞込む。したがって、雄ねじ部３３ａが回転することがなく雌ねじ部１５ｂを回転させればよいので、簡単な操作でケーブル保持部１５をコレット部３１に取付けることができ、かつ、電線ケーブル９１を把持することができる。
【００５３】
なお、本発明は前記実施の形態に限定されるものではなく、本発明の趣旨に基づいて種々変形させることが可能であり、それらを本発明の範囲から排除するものではない。
【産業上の利用可能性】
【００５４】
本発明は、少なくとも一部が外耳道に挿入される外耳道挿入部材を有するイヤホンに適用することができる。
【符号の説明】
【００５５】
１０    イヤホン
１１    筐体
１２    主筐体
１４、８１４    蓋筐体
１５、８１５    ケーブル保持部
１５ａ    締付孔
１５ｂ    雌ねじ部
１５ｃ    テーパ部
１７    パッド取付部
１７ａ    係合凹部
１８    取付角孔
１８ａ    凹部
１８ｂ    内側面
２１    内部空間
２２    筐体音導孔
２４    後方空間
３１    コレット部
３２    フランジ部
３２ａ    下面
３３    胴部
３３ａ    雄ねじ部
３３ｂ    平坦面
３４    脚部
３４ａ    スリット
３４ｂ    帯板部
３４ｃ    凸部
３５    ケーブル挿通孔
４１、８４１    ドライバユニット
５０、８５０    イヤーパッド
５１    本体部
５２    係合凸部
５３    笠部
６１    パッド音導孔
９１、８９１    電線ケーブル
９２    リード線
８１１    ハウジング
８１７    音導管
８９１ａ    結び目
【図１】
2011228833.tif 000003
【図２】
2011228833.tif 000004
【図３】
2011228833.tif 000005
【図４】
2011228833.tif 000006
【図５】
2011228833.tif 000007
【図６】
2011228833.tif 000008